(57)【要約】【課題】床板の樋部が左右方向に水平であっても樋部に流れ込んだ雨水などを効率良く排水できるようにする。【解決手段】バルコニーの床板１は、室内側から室外側に向かって緩やかな角度で下向きに傾斜するフラットな板部６と、この板部６の室外側の傾斜端部に位置する断面凹状の樋部７と、周囲の立ち上がり壁９，１０および板体１１，１２を備え、前記樋部７の横長さ方向適当間隔おきに排水口８が形成され、各排水口８には樋部７の下側で集水枡１３が取り付けられており、前記樋部７の下方においてパイプ状の樋１７が配設され、この樋１７は長さ方向一端から他端に向かって緩やかな角度で下向きに傾斜して、長さ方向適当間隔おきの位置で前記集水枡１３の下端と連通接続され、この樋１７より排水されるようにした。【選択図】        図１
2004169433.tif 000002
【特許請求の範囲】
【請求項１】
バルコニーの床板は、室内側から室外側に向かって緩やかな角度で下向きに傾斜するフラットな板部と、この板部の室外側の傾斜端部に位置する断面凹状の樋部と、周囲の立ち上がり壁を備え、前記樋部の横長さ方向適当間隔おきに排水口が形成され、各排水口には樋部の下側で集水枡が取り付けられており、前記樋部の下方においてパイプ状の樋が配設され、この樋は長さ方向一端から他端に向かって緩やかな角度で下向きに傾斜して、長さ方向適当間隔おきの位置で前記集水枡の下端と連通接続され、前記樋の長さ方向他端側には建物の外壁に対して直角に向く樋の一端が建物の外壁に向って緩やかな角度で下向きに傾斜するように接続され、この樋の他端には建物の外壁に沿って取り付けられる縦樋の上端が接続されていることを特徴とするバルコニーの排水構造。
【発明の詳細な説明】
【０００１】
【発明の属する技術分野】
本発明は、バルコニーの排水構造に関するものである。
【０００２】
【従来の技術】
従来から、建物の外壁から張り出して設けられるバルコニーには、バルコニーの床板の上に降り注いだ雨水などを排水させるべく、例えば特許文献１に開示されているように、バルコニーの床板に断面凹状の樋部を備え、この樋部の一端部に集水枡を設けて、この集水枡をバルコニーの手摺り部から側方に突出させ、この集水枡の下端には上下方向に向く縦樋を取り付け、集水枡の側板部の少なくとも一端に上端より少し下側の位置でオーバーフロー用の孔部を形成してなるものが知られている。
【０００３】
そして、このバルコニーの排水構造によれば、バルコニーの床板の上に降り注いだ雨水などはバルコニーの床板の樋部に一旦流れ込んで、その後集水枡および縦樋を通って排水されるようになっている。
【０００４】
【特許文献１】
特開２０００−２８２６３４号公報
【０００５】
【発明が解決しようとする課題】
しかしながら、上記特許文献１に開示されているバルコニーの排水構造の場合、バルコニーの床板は押し出し成形などにより作られる関係から前後方向に傾ける、つまり樋部側に向かって低く傾斜するように傾けることができるが、左右方向には水平状態となり、床板の樋部に流れ込んだ雨水などを樋部の一端部の集水枡に効率良く送り込むことが困難であるという問題があった。
【０００６】
本発明はこのような課題を解決するもので、床板の樋部が左右方向に水平であっても樋部に流れ込んだ雨水などを効率良く排水できるようにすることを目的とするものである。
【０００７】
【課題を解決するための手段】
この課題を解決するために本発明は、バルコニーの床板は、室内側から室外側に向かって緩やかな角度で下向きに傾斜するフラットな板部と、この板部の室外側の傾斜端部に位置する断面凹状の樋部と、周囲の立ち上がり壁を備え、前記樋部の横長さ方向適当間隔おきに排水口が形成され、各排水口には樋部の下側で集水枡が取り付けられており、前記樋部の下方においてパイプ状の樋が配設され、この樋は長さ方向一端から他端に向かって緩やかな角度で下向きに傾斜して、長さ方向適当間隔おきの位置で前記集水枡の下端と連通接続され、前記樋の長さ方向他端側には建物の外壁に対して直角に向く樋の一端が建物の外壁に向って緩やかな角度で下向きに傾斜するように接続され、この樋の他端には建物の外壁に沿って取り付けられる縦樋の上端が接続されていることを要旨とするものである。
【０００８】
この構成により、床板の樋部の横長さ方向適当間隔おきに形成された各排水口から各集水枡に雨水などを効率良く導き、床板の樋部に流れ込んだ雨水などを残すことなく排水することができる。
【０００９】
【発明の実施の形態】
以下、本発明の一実施の形態について、図面に基づいて説明する。
図１〜図５において、１はバルコニーの周りを取り囲む手摺り部２の内側において建物の外壁３から張り出す腕木４に支持された根太５の上に載せられるアルミニウム製の床板である。この床板１は室内側から室外側に向かって緩やかな角度で下向きに傾斜するフラットな板部６と、この板部６の室外側の傾斜端部に位置する断面凹状の樋部７と、この樋部７の横長さ方向適当間隔おきに形成された排水口８と、前記床板１の樋部７の室外側の端部および板部６の室内側の端部において床板１に一体に形成された前後の立ち上がり壁９および１０とから構成されている。１１，１２は床板１の両側にパッキン（図示せず）を介してビス止めにて取り付けられ左右の立ち上がり壁となる板体である。つまり、床板１は前記立ち上がり壁９，１０および板体１１，１２により周囲が囲まれている。
【００１０】
ところで、前記床板１の樋部７に形成された各排水口８には樋部７の下側で合成樹脂製の下端窄まり状の集水枡１３がパッキン１４を介してビス止めにて取り付けられる。さらに詳しくは、前記各排水口８の周りの底面に集水枡１３の上端のフランジ部１３ａが当接し、樋部７の上方からフランジ部１３ａをビス１５にて止めている。前記集水枡１３の下端には断面円形の差し口１６が一体に設けられている。１７は前記樋部７の下方において樋部７とほぼ平行に配設される合成樹脂製のパイプ状の樋で、この樋１７には前記各集水枡１３の差し口１６の位置に対応する位置に上向きに突出するように受け口用の短いパイプ１８が長さ方向適当間隔おきに設けられている。そして、集水枡１３の差し口１６の外面に接着剤を塗布した状態で差し口１６を受け口のパイプ１８に差し込み集水枡１３と樋１７を結合させている。この集水枡１３と樋１７との結合状態において、樋１７は長さ方向一端から他端に向かって緩やかな角度で下向きに傾斜するように、樋１７の長さ方向一端側に設けられる受け口のパイプ１８から樋１７の長さ方向他端側に設けられる受け口のパイプ１８の長さが徐々に長くなっている。つまり、受け口のパイプ１８の長さを徐々に変化させることにより樋１７を長さ方向一端から他端に向かって緩やかな角度で下向きに傾斜するように設けることができる。なお、前記樋１７の長さ方向他端側には建物の外壁３に対して直角に向く樋１９の一端が建物の外壁３に向って緩やかな角度で下向きに傾斜するように接続され、この樋１９の他端には建物の外壁３に沿って取り付けられる縦樋２０の上端が接続されている。２１は前記床板１の樋部７に敷き詰められるグレーチングである。
【００１１】
上記構成において、前記床板１の上に降り注いだ雨水などは室外側に向かって緩やかな角度で下向きに傾斜するフラットな板部６より樋部７に流れ込み、樋部７から各集水枡１３を通って前記樋１７に流れ込む。そして、樋１７に流れ込んだ雨水などは前記樋１９および縦樋２０を通って排水されることになる。つまり、本実施の形態の排水構造は床板１の樋部７の横長さ方向適当間隔おきに形成された各排水口８から各集水枡１３に雨水などを導き、樋１７から樋１９および縦樋２０を通って排水する構成となっており、床板１の樋部７に流れ込んだ雨水などを残すことなく排水することができる。
【００１２】
【発明の効果】
以上のように本発明によれば、床板の樋部の横長さ方向適当間隔おきに形成された各排水口から各集水枡に雨水などを効率良く導き、床板の樋部に流れ込んだ雨水などを残すことなく排水することができる。
【図面の簡単な説明】
【図１】本発明の一実施の形態におけるバルコニーの排水構造を示す概略分解斜視図である。
【図２】同要部拡大分解斜視図である。
【図３】同バルコニーの全体斜視図である。
【図４】同バルコニーの側面断面図である。
【図５】同床板に対する集水枡の取り付け部の拡大断面図である。
【符号の説明】
１          床板
３          外壁
６          板部
７          樋部
８          排水口
９，１０    立ち上がり壁
１１，１２    板体
１３          集水枡
１３ａ        フランジ部
１４          パッキン
１５          ビス
１６          差し口
１７          樋
１８          パイプ
１９          樋
２０          縦樋
【図１】
2004169433.tif 000003
【図２】
2004169433.tif 000004
【図３】
2004169433.tif 000005
【図４】
2004169433.tif 000006
【図５】
2004169433.tif 000007